(57)【要約】【課題】リム通水路内への排水の供給が、低水圧であってもボウル部全体を洗浄することのできる洋風便器装置を提供する。【解決手段】便器本体２２の上端に周設されたリム通水路１１内に排水を供給して、ボウル部２０に放出する構造とした洋風便器装置１０において、前記リム通水路は、前記ボウル部に向けて開口するスリット開口１１ｅを形成するとともに、該リム通水路内には、該リム通水路内に供給された排水を、所定の方向に導く排水案内樋１１ｄを設けた構造にしている。【選択図】図１
2007315044.tif 000002
【特許請求の範囲】
【請求項１】
便器本体の上端に周設されたリム通水路内に排水を供給して、ボウル部に放出する構造とした洋風便器装置において、
前記リム通水路は、前記ボウル部に向けて開口するスリット開口を形成するとともに、該リム通水路内には、該リム通水路内に供給された排水を、所定の方向に導く排水案内樋を設けた構造にしていることを特徴とする洋風便器装置。
【請求項２】
請求項１において、
前記排水案内樋は、前記リム通水路の所定位置に設けた排水導入部から供給された排水を一方向に旋回させる流水路を形成する構造としていることを特徴とする洋風便器装置。
【請求項３】
請求項１において、
前記排水案内樋は、前記リム通水路の後部に設けた排水導入部から、左右両方向に分岐させて、該リム通水路の前部まで導く流水路を形成する構造としていることを特徴とする洋風便器装置。
【請求項４】
請求項２または３において、
前記排水案内樋は、前記排水導入部から終端に向かって低く形設されていることを特徴とする洋風便器装置。
【請求項５】
請求項１乃至４のいずれか１項において、
前記リム通水路は、下方が先細り状となるように断面視略三角形状に形成されていることを特徴とする洋風便器装置。
【発明の詳細な説明】
【技術分野】
【０００１】
本発明は、洋風便器装置に関し、詳しくは、便器本体の上端に周設されたリム通水路内に排水を供給して、ボウル部に放出する構造とした洋風便器装置の改良に関するものである。
【背景技術】
【０００２】
従来、洋風便器装置では、便器本体の上端に周設されたリム通水路内に排水を供給して、ボウル部に放出する構造として、その排水によりボウル部を洗浄し、ボウル部下部に設けられた排水口より汚物とともに排水する構成となっている。
【０００３】
前記リム通水路の構成としては、多種のものが提案されており、例えば、多用されている形状として、断面視矩形状で中空に形成され、その底面に複数の射水孔を穿設し、中空部に供給された排水を射水孔からボウル部に向けて放出する構成としているものがある。
前記構成のものは、射水孔の数や形状を水圧や水量に応じて穿設する必要があり、作業工数が増えるという問題があり、また、リム通水路底面の射水孔の周囲に、中空部に堆積している水垢などが、射水孔から伝わり付着したり、また、尿の跳ね返りなどによる汚れが付着しやすいという問題もあった。
そこで、射水孔を穿設しない、いわゆるオープンリム形状の洋風便器装置が提案されている。
【０００４】
例えば、特許文献１に提案されている洋風便器装置では、図６に示すように、ボウル部２の上端に周設されたリム通水路１は、射水孔を穿設せずに、リム外辺１ａと、リム上辺１ｂと、リム内辺１ｃからなり、リム内辺１ｃとボウル部２の上端部の間に空隙を形成し、ボウル部２に向けて開口した開口１ｅを形成しており、洗浄タンク（不図示）から供給された排水を吐出口３から高水圧で吐出し、リム通水路１内を一方向に旋回させるように構成されている。
【０００５】
また、特許文献２に提案されている洋風便器装置では、図７に示すように、ボウル部２の上端に前記のような中空部を形成して通水させるものではなく、また、図６に示すようなリム通水路１でもなく、オーバーハング部１を形成し、洗浄タンク４から供給された排水をリム噴射口３から高水圧で噴出し、ボウル部２の上端部に沿って、一方向に旋回させるように構成されている。
【特許文献１】特開２００１−３０３６５０号公報
【特許文献２】特開２００１−２７９７９１号公報
【発明の開示】
【発明が解決しようとする課題】
【０００６】
しかし、前記特許文献１で提案されている洋風便器装置では、洗浄タンクから供給される排水が高水圧であれば、リム通水路１の吐出口３の下流側まで供給され、ボウル部２の全体を洗浄することは可能であるが、水圧が低い場合、例えば、水道管直結方式、いわゆるタンクレスタイプのものでは、吐出口３から供給された排水が、リム通水路１内を一方向に旋回する過程において、その上流側で開口１ｅから多く放出されてしまい、下流側まで行き渡らず、あるいは、下流側で水量が減少し、ボウル部２全体を充分に洗浄できないという問題があった。
また、前記特許文献２で提案されている洋風便器装置でも、前記と同様に、リム噴出口３から供給される排水の水勢が弱いと、排水の自重により、下流側に向かうにつれて、排水のボウル部２内での流路は、ボウル部２の上端から下方へと放射状に下がっていくため、ボウル部２の上端部分が洗浄されないという問題があった。
【０００７】
本発明は、前記問題を解決するために提案されたもので、その目的は、リム通水路内への排水の供給が、低水圧であってもボウル部全体を洗浄することのできる洋風便器装置を提供することにある。
【課題を解決するための手段】
【０００８】
前記目的を達成するために、請求項１に記載の洋風便器装置は、便器本体の上端に周設されたリム通水路内に排水を供給して、ボウル部に放出する構造とした洋風便器装置において、前記リム通水路は、ボウル部に向けて開口するスリット開口を形成するとともに、該リム通水路内には、該リム通水路内に供給された排水を、所定の方向に導く排水案内樋を設けた構造にしていることを特徴とする。
【０００９】
請求項２では、請求項１において、前記排水案内樋は、前記リム通水路の所定位置に設けた排水導入部から供給された排水を一方向に旋回させる流水路を形成する構造としていることを特徴とする。
【００１０】
請求項３では、請求項１において、前記排水案内樋は、前記リム通水路の後部に設けた排水導入部から、左右両方向に分岐させて、該リム通水路の前部まで導く流水路を形成する構造としていることを特徴とする。
【００１１】
請求項４では、請求項２または３において、前記排水案内樋は、前記排水導入部から終端に向かって低く形設されていることを特徴とする。
【００１２】
請求項５では、請求項１乃至４のいずれか１項において、前記リム通水路は、下方が先細り状となるように断面視略三角形状に形成されていることを特徴とする。
【発明の効果】
【００１３】
請求項１乃至５に記載の洋風便器装置によれば、オープンリムタイプのリム通水路でも、リム通水路内に排水案内樋を設けているため、供給された排水の水圧が低くとも、リム通水路に沿って、下流側にも行き渡るようにリム通水路内の全域に通水されてスリット開口からボウル部に向けて排水が放出されるので、ボウル部全体を洗浄することができる。
【００１４】
請求項２では、特に、排水導入部から供給された排水を一方向に旋回させて流水路を形成する構成でも、排水案内樋を設けることにより、供給された排水が低水圧であっても、排水導入部の終端部まで排水を行き渡らせることができる。
【００１５】
請求項３では、特に、リム通水路の後部に設けた排水導入部から供給された排水を、左右両方向に分岐させて、リム通水路の前部まで導く構成でも、排水案内樋を設けることにより、供給された排水が、更に低水圧であっても、リム通水路の後部から前部まで排水を行き渡らせることができる。
【００１６】
請求項４では、排水案内樋を排水導入部から終端に向かって、低く形設しているため、供給された排水が、低水圧であっても、排水導入部の始端と終端で、スリット開口からボウル部に向けて放出される排水の量を、略均一とすることができ、ボウル部全体を均一に洗浄することができる。
【００１７】
請求項５では、リム通水路を、下方が先細り状となるように断面視略逆三角形状に形成しているので、リム通水路の底部に水平となる底面が形成されないため、清掃を容易に行うことが出来る。
【発明を実施するための最良の形態】
【００１８】
以下に、本発明の実施の形態について、図面を参照しながら説明する。
図１、図２（ａ）及び図３は、第１実施形態に係る洋風便器装置を示し、図１は、本実施形態の洋風便器装置を示す一部破断斜視図、図２（ａ）は、図１における破断部分の要部拡大概略断面図、図３（ａ）は、本実施形態に係る洋風便器装置が備えるリム通水路を展開した状態を模式的に示す平面図、図３（ｂ）は、排水導入部から供給された排水の流れる様子を模式的に示す平面図である。
【００１９】
本実施形態に係る洋風便器装置１０では、便器本体２２の後部に排水タンクを備えていない、水道配管直結方式、いわゆるタンクレスタイプのものを図示しているが、排水タンクを備えたものにも適用可能である。
図例の洋風便器装置１０は、便器本体２２の上端に周設されたリム通水路１１と、その略中央に配設されたボウル部２０と、便器本体２２の外壁を構成するスカート部２１と、便器本体２２の後部に回動自在に枢着された便座４０及び便蓋４１と、リム通水路１１に排水を供給する排水導入部３０を備えている。
【００２０】
詳しくは、図２（ａ）に示すように、リム通水路１１は、スカート部２１上端に位置するリム外辺１１ａと、リム外辺１１ａの上端から略水平に形設されたリム上辺１１ｂと、リム上辺１１ｂの内周端縁から下方に向けて形設されたリム内辺１１ｃと、ボウル部２０の上端部から延在するリム底辺２０ａとで、リム内辺１１ｃとリム底辺２０ａとの間に形成した空隙により構成されたスリット開口１１ｅを囲むように形成されており、さらに、リム底辺２０ａの外周端部とリム外辺１１ａの内側下端部が連結する箇所から斜め上方に排水案内樋１１ｄを突設させている。
尚、前記のような構成の便器本体２２は、リム上辺１１ｂとリム内辺１１ｃを一体成形し、スカート部２１とリム外辺１１ａと排水案内樋１１ｄを一体成形したのち、それらを互いに接合して製造するようにしてもよい。また、それ以外にも例えば、後述するように樹脂製であれば、さらに細かい部材に成形したのち、互いに接合して製造するようにしてもよい。
【００２１】
前記のように構成されたリム通水路１１では、排水導入部３０から供給された排水は、リム通水路１１内で、排水案内樋１１ｄ、リム内辺１１ｃ及びリム底辺２０ａで形成される通水路（以下、第一通水路と略す。）と、リム外辺１１ａ及び排水案内樋１１ｄで形成される通水路（以下、第二通水路と略す。）とに分流され、排水導入部３０から供給された排水が低水圧であっても、リム通水路１１の始端部３０ａ付近の開口スリット１１ｅから全てボウル部２０に放出されることなく、また、リム通水路１１の終端部３０ｂで水量が減少することもなく、排水を行き渡らせることができると共に、ボウル部２０全体の洗浄が可能となる。
【００２２】
また、前記のように、従来のようなリム通水路の底面を形成せずに、リム内辺１１ｃの下端部とボウル部２０の上端が略連続するような面として形成されているため、汚れが付着しても目視が容易で、清掃も容易となる。
尚、後述するように排水案内樋３０の突設させた高さを徐々に低くして形設することが好ましいが、例えば、汚れの付着しやすいボウル部２０の前部や後部に排水案内樋３０を形設せずに、あるいは、低く形設して、そこから排水を他の箇所よりも多く放出させる構成としてもよい。
【００２３】
また、本実施形態では、排水案内樋１１ｄにより分流される第一通水路と第二通水路との排水の流量が、リム通水路１１の始端部３０ａ付近では、略半分となるように排水案内樋１１ｄを斜め上方に突設させて形成しているが、これに限られず、排水導入部３０から供給される排水の水圧や水量により適宜、突設角度及び形状を設計することが好ましい。
さらに、リム通水路１１は、陶器製に限らず、樹脂製のものにも適用が可能であり、樹脂製とすると、更に詳細な設計が可能となる。
【００２４】
次に、図３に基づいて、前述のように構成された本実施形態の排水案内樋１１ｄ及び排水導入部３０から供給された排水の流れる様子を説明する。
本実施形態では、図３（ｂ）に示すように、便器本体２２の左側後部のリム通水路１１内に排水導入部３０を設けており、そこから供給された排水は、一点鎖線矢で示すように、一方向に旋回するようにリム通水路１１内を通水する構成となっており、さらに、図３（ａ）に示すように、排水案内樋１１ｄは、リム通水路１１の始端部３０ａから終端部３０ｂに向かって、徐々にその突設高さが低くなるように形成されている。
尚、図３（ａ）では、本実施形態の理解を容易とするために、リム外辺１１ａと排水案内樋１１ｄのみを示し、それらを展開した状態を示している。
【００２５】
前記のような構成により、排水導入部３０からリム通水路１１に供給された排水は、低水圧であっても、その始端部３０ａ付近では、前記第一通水路に供給された排水が開口スリット１１ｅから徐々にボウル部２０に向けて放出されるとともに、前記第二通水路に供給された排水は、終端部３０ｂに向けて、排水案内樋１１ｄにより導かれつつ、徐々に該第一通水路側に排水が供給されて、開口スリット１１ｅを介して、ボウル部２０に向けて放出されることとなる。
すなわち、低水圧でも、スリット開口１１ｅからボウル部２０に向けて放出される排水の量が、始端部３０ａと終端部３０ｂとの間で略均一となり、ボウル部２０全体を均一に洗浄することが可能となる。
【００２６】
図２（ｂ）は、本実施形態の変形例を示し、相違点は、排水案内樋１１ｄをリム内辺１１ｃの下端部からリム外辺１１ａの内側上端部に向けて突設させている点で、他の構成は第１実施形態と同様であるため同一符号を付し、説明を省略する。
前記のように構成されたリム通水路１１Ａでは、排水案内樋１１ｄとリム外辺１１ａとリム底辺２０ａとにより第一通水路が構成され、リム内辺１１ｃと排水案内樋１１ｄとにより第二通水路が構成される。
このものでも、第１実施形態と同様に、排水導入部３０から供給された排水が低水圧であっても、リム通水路１１内の全体に排水を行き渡らせることができると共に、ボウル部２０全体の洗浄が可能となる。
【００２７】
図４は、本実施形態の更に他の変形例を示し、相違点は、図４（ｂ）に示すように便器本体２２の後部すなわち、リム通水路１１の後部に排水導入部３０を設けており、そこから供給された排水を、左右両方向に分岐させて、便器本体２２の前部、すなわちリム通水路１１の前部まで導く構成とするとともに、図４（ａ）に示すように排水案内樋１１ｄは、リム通水路１１後部の左右両方向に分岐する始端部３０ａから終端部３０ｂすなわち、リム通水路１１の前部に向かって、徐々にその突設高さが低くなるように形成されている点で、他の構成は第１実施形態と同様であるため同一符号を付し、説明を省略する。
前記構成によれば、排水導入部３０から供給された排水の水圧が更に低い場合でも、リム通水路１１の後部から前部まで排水を行き渡らせることができ、ボウル部２０全体の洗浄が可能となる。
【００２８】
図５（ａ）は、第２実施形態に係る洋風便器装置を示し、図１における破断部分に相当する箇所の要部拡大概略断面図である。
第１実施形態との相違点は、リム通水路１１Ｂは、リム内辺１１ｃをリム上辺１１ｂの内周端縁からその下端部を外周側に向けて傾斜させて、下方が先細り状となるように断面視略逆三角形状に形成すると共に、リム底面２０ａを有していない点であり、他の構成及び洋風便器装置としての基本的構成は、第１実施形態と同様であるため、同一の符号を付して説明を省略する。
【００２９】
詳しくは、本実施形態では、リム内辺１１ｃの下端部とボウル部２０の上端部との間に形成された空隙によりスリット開口１１ｅが構成され、ボウル部２０の上端部とリム外辺１１ａの内側下端部が連結する箇所から斜め上方に排水案内樋１１ｄを突設させている。
このように構成されたリム通水路１１Ｂでは、排水案内樋１１ｄとリム内辺１１ｃとにより第一通水路が構成され、排水案内樋１１ｄとリム外辺１１ａとにより第二通水路が構成されている。
【００３０】
前記のように、リム内辺１１ｃを傾斜させて下方が先細り状となるようにしているため、第１実施形態と比べて、第一通水路へ分流される排水の水量を少なくさせる、すなわち、リム通水路１１の始端部３０ａ付近から放出される排水の水量を少なくさせることができるので、排水導入部３０から供給される排水が、更に低水圧でも、始端部３０ａから終端部３０ｂまで充分に行き渡らせることが可能となり、ボウル部２０全体が洗浄される。
また、リム通水路１１Ｂの下方に水平となるリム底辺が形成されないため、効率良く排水が放出される。
さらに、従来のような断面視矩形状で中空に形成して、その底面に複数の射水孔を穿設させたものと異なり、底面が形成されないので、汚れの付着の目視が容易であり、また、清掃を容易に行うことが出来る。
【００３１】
図５（ｂ）は、本実施形態の変形例を示し、相違点は、排水案内樋１１ｄをリム内辺１１ｃの下端部からリム外辺１１ａ内側上端部に向けて突設させている点で、他の構成は第２実施形態と同様であるため同一符号を付し、説明を省略する。
このように構成されたリム通水路１１Ｃでは、排水案内樋１１ｄとリム外辺１１ａとにより第一通水路が構成され、排水案内樋１１ｄとリム内辺１１ｃとにより第二通水路が構成されている。
このものでも、第２実施形態と同様に、排水導入部３０から供給された排水が低水圧であっても、リム通水路１１Ｃ内の全体に排水を行き渡らせることが可能となり、ボウル部２０全体が洗浄される。
【図面の簡単な説明】
【００３２】
【図１】本発明に係る洋風便器装置の実施形態の一例を示す一部破断斜視図である。
【図２】（ａ）は、図１における破断部分の要部拡大概略断面図、（ｂ）は、同変形例を示す要部拡大概略断面図である。
【図３】（ａ）は、本発明に係る洋風便器装置が備えるリム通水路を展開した状態を模式的に示す平面図、（ｂ）は、排水導入部から供給された排水の流れる様子を模式的に示す平面図である。
【図４】（ａ）、（ｂ）は、図４と同様の他例を示す図である。
【図５】（ａ）及び（ｂ）は、本発明に係る洋風便器装置の実施形態の他例を示す要部拡大概略断面図である。
【図６】従来例を示す図である。
【図７】他の従来例を示す図である。
【符号の説明】
【００３３】
１０      洋風便器装置
１１、１１Ａ、１１Ｂ、１１Ｃ、１１Ｄ      リム通水路
１１ｄ      排水案内樋
１１ｅ      スリット開口
２０      ボウル部
２２      便器本体
３０      排水導入部
【図１】
2007315044.tif 000003
【図２】
2007315044.tif 000004
【図３】
2007315044.tif 000005
【図４】
2007315044.tif 000006
【図５】
2007315044.tif 000007
【図６】
2007315044.tif 000008
【図７】
2007315044.tif 000009